(57)【要約】【課題】自然気化方式よりも香りの拡散能力が高く、低コストでありながら有効な香り拡散機能を発揮するアロマディフューザを提供することにある。【解決手段】液体香料を収容するアロマタンク１を備えたアロマディフューザＸとして、液体香料の液面１３に風を吹き付けるファン２と、液面１３から気化した成分を外部に送り出す吹出口３とを備え、ファン２から送り出されてアロマタンク１に向かって吹き付ける風の経路である吹付風路ＸＡと、アロマタンク１内から吹出口３に向かって吹き出す風の経路である吹出風路ＸＢとを相互に隔離した空間に設定した構成にした。【選択図】図１
2019130030.tif 000002
【特許請求の範囲】
【請求項１】
液体香料を収容するアロマタンクと、前記液体香料の液面に風を吹き付けるファンと、前記液面から気化した成分を外部に送り出す吹出口とを備えていることを特徴とするアロマディフューザ。
【請求項２】
人感センサまたは音感センサ及びタイマを備え、前記人感センサまたは前記音感センサによる人感検知信号または音感検知信号をきっかけに前記ファンを予め及びタイマに設定した作動時間に応じて作動可能に構成した請求項１に記載のアロマディフューザ。
【請求項３】
前記アロマタンクの上部開口部を蓋封する位置に設けた弁を備え、当該弁が、前記ファンの作動時に当該ファンからの風圧によって所定の軸周りに回転して前記上部開口部を開放する開放姿勢になるとともに、前記ファンの作動停止時に自重で前記上部開口部を閉止する閉止姿勢に自動復帰するものである請求項１又は２に記載のアロマディフューザ。
【請求項４】
前記吹出口に造花または加工花を挿した状態で使用可能である請求項１乃至３の何れかに記載のアロマディフューザ。
【請求項５】
前記ファンから送り出されて前記アロマタンクに向かって吹き付ける風の経路である吹付風路と、前記吹出口に向かって吹き出す風の経路である吹出風路とを相互に隔離した空間として有する請求項１乃至４の何れかに記載のアロマディフューザ。
【発明の詳細な説明】
【技術分野】
【０００１】
本発明は、周辺雰囲気に香りを拡散する器具であるアロマディフューザに関するものである。
【背景技術】
【０００２】
従来より、容器に収容された芳香液や消臭液等の液体香料（気化成分）を周辺雰囲気に拡散する装置が知られている。例えば、液体香料が収容されている容器に複数の吸上芯を挿入し、容器に収容された液体香料を吸上芯の下端部から吸い上げて、吸上芯のうち容器よりも上方に飛び出している上端部より揮散するいわゆるリードディフューザタイプの装置が知られている（例えば特許文献１）。
【０００３】
また、超音波振動を利用して液体香料を霧化して香りを拡散させる超音波霧化装置も知られている（例えば特許文献２）。超音波霧化装置では、容器内の所定箇所に超音波発振子が設けられ、超音波発振子上に液体香料を供給することによりその香料は霧化し、その霧を空気と混合することによって速やかに気化させて香りを発生するように構成されている。別タイプの超音波霧化装置として、容器内の液体中に超音波振動子が設けられ、超音波振動子に高周波の電圧を加えて超音波振動を発生させ、この超音波の振動エネルギーが液の内部を液面に向けて伝播し、液面の一部が隆起した液隆起部を形成して、ここから微細な霧化粒子が発生するように構成されたものも知られている。
【先行技術文献】
【特許文献】
【０００４】
【特許文献１】特開２０１２−４５２６８号公報（特許第５６２７９５５号）
【特許文献２】特開平２−２０９１４６号公報
【発明の概要】
【発明が解決しようとする課題】
【０００５】
ところで、リードディフューザタイプの装置は、液体香料を自然気化させる構成であるため、液体香料を強制気化させる構成である超音波霧化装置と比較して、香りの拡散力は弱く、拡散スピードも遅い。特に、吸上芯が液体香料に浸り続けて湿った状態が続くと、吸い上げる力が弱まってしまい、拡散能力はさらに低下する。
【０００６】
一方、超音波霧化装置は、超音波振動子が必須の構成であるため、低コストでの提供が困難であることに加えて、超音波振動子が無負荷状態で空運転を行なうとその振動作用により破損するおそれがある。なお、振動子に対して液体香料を常に滴下供給して振動子上に液体香料を存在させた状態で運転したり、液体香料の充填処理やアロマタンクの交換処理を行うことで超音波振動子の無負荷空運転を回避することは可能であるものの、ランニングコストが高くなり、手間も掛かる。
【０００７】
本発明は、このような点に着目してなされたものであって、主たる目的は、自然気化方式よりも香りの拡散能力が高く、低コストでありながら有効な香り拡散機能を発揮するアロマディフューザを提供することにある。
【課題を解決するための手段】
【０００８】
すなわち、本発明に係るアロマディフューザは、液体香料を収容するアロマタンクと、液体香料の液面に風を吹き付けるファンと、液体香料の液面から気化した成分を外部に送り出す吹出口とを備えていることを特徴としている。ここで、本発明におけるファンは、液体香料の液面に風を直接吹き付けるもの、または適宜の風路を通じて間接的に吹き付けるもの、これら両方を包含する。
【０００９】
このような本発明に係るアロマディフューザであれば、ファンからアロマタンク内に向かって吹き付ける風によって液体香料を強制気化させて、その気化した成分を吹出口から外部に送り出すことができる。このような、強制気化方式のアロマディフューザは、自然気化方式のアロマディフューザと比較して、香りの拡散力が強く、拡散スピードも早い。特に、本発明に係るアロマディフューザは、吸上芯が不要であるため、吸上芯を用いたアロマディフューザであれば生じる不具合、すなわち、吸上芯が液体香料に浸り続けて湿った状態が続くことで吸上力が弱まり、拡散能力が低下するという不具合が生じない。
【００１０】
さらに、本発明に係るアロマディフューザであれば、自然気化方式のアロマディフューザよりも優れた香り拡散能力を発揮する上に、超音波振動子が不要であるため、超音波振動子を用いたアロマディフューザと比較して製品の低コスト化を図ることが可能である。また、ファンを用いた強制気化方式を採用した本発明に係るアロマディフューザでは、超音波振動子を用いたアロマディフューザであれば生じる不具合、つまり、超音波振動子が無負荷状態で空運転を行なうとその振動作用により破損するという不具合も生じない。
【００１１】
本発明では、ファンを２４時間作動し続ける仕様を採用することも可能であるが、省電力という観点では、人感センサまたは音感センサ及びタイマを備え、人感センサによる人感検知信号または前記音感センサによる音感検知信号をきっかけにファンを予め及びタイマに設定した作動時間に応じて作動可能に構成することもできる。
【００１２】
特に、本発明のアロマディフューザが、アロマタンクの上部開口部を蓋封する位置に設けた弁を備えたものであってもよい。この場合、弁が、ファンの作動時にファンからの風圧によって所定の軸周りに回転して上部開口部を開放する開放姿勢になり、ファンの作動停止時に自重で上部開口部を閉止する閉止姿勢に自動復帰するものであることが好ましい。このようなアロマディフューザであれば、ファンの作動停止時に弁がアロマタンクの上部開口部を蓋封することによって、アロマタンク内の液体香料の気体成分は飽和に達し、それ以上の蒸発が進行せず、消費量を抑えることができる。一方、ファンの作動時には弁が開放姿勢になることで、ファンによるアロマタンク内の液体香料の蒸発を促進し、アロマタンク内の気体成分を上部開口部及び吹出口を通じて外部に放出して拡散することが可能である。特に、ファンの作動停止時に弁が自重で閉止姿勢に自動復帰するように構成することで、弁を閉止姿勢と開放姿勢の間で切り替える専用の機構が不要であり、専用の切替機構を備えた構成と比較して、構造の簡素化及び低コスト化を図ることができる。
【００１３】
本発明に係るアロマディフューザのデザイン性を高める一例としては、吹出口に造花または加工花を挿した状態で使用する態様を挙げることができる。「造花」には、アーティフィシャルフラワー、シルクフラワー、その他の人工的な花や葉全般が含まれ、「加工花」には、ドライフラワー、プリザーブドフラワー等、生花や葉から加工されたもの全般が含まれる。
【００１４】
加えて、本発明に係るアロマディフューザが、ファンから送り出されてアロマタンクに向かって吹き付ける風の経路である吹付風路と、吹出口に向かって吹き出す風の経路である吹出風路とを相互に隔離した空間として有するものであれば、アロマタンク内の液体香料の液面に風を効率良く吹き付けることができるとともに、液面から蒸発した気化成分を吹出風路を通じて吹出口から効率良く吹き出してアロマディフューザの周囲に拡散することが可能である。
【発明の効果】
【００１５】
本発明によれば、ファンによる強制気化方式を採用しているため、自然気化方式よりも効率良く香りを拡散することができるとともに、超音波振動子を用いるタイプと比較して低コスト化を実現可能な斬新なアロマディフューザを提供することができる。
【図面の簡単な説明】
【００１６】
【図１】本発明の一実施形態に係るアロマディフューザの全体構成模式図。
【図２】同実施形態に係るアロマディフューザのファン作動時を図１に対応して示す図。
【図３】同実施形態に係るアロマディフューザの全体外観図。
【図４】同実施形態に係るアロマディフューザの正面図。
【図５】同実施形態に係るアロマディフューザの背面図。
【図６】同実施形態に係るアロマディフューザの平面図。
【図７】同実施形態に係るアロマディフューザの側面図。
【図８】同実施形態に係るアロマディフューザの分解図。
【図９】同実施形態におけるアロマディフューザ本体の外観図。
【図１０】同実施形態に係るアロマディフューザの使用状態を示す図。
【発明を実施するための形態】
【００１７】
以下、本発明の一実施形態を、図面を参照して説明する。
【００１８】
本実施形態に係るアロマディフューザＸは、全体構成模式図である図１及び作用説明図である図２に示すように、液体香料を収容するアロマタンク１と、アロマタンク１内に風を送るファン２と、液体香料の液面１３から気化した成分を外部に送り出す吹出口３とを備え、ファン２からの送風によって強制的に気化させた香料成分を吹出口３から外部に放出して周辺雰囲気に拡散するものである。なお、図２ではアロマディフューザＸにおけるファン２の作動時の気流（風、気化成分の流れ）を矢印で模式的に示している。
【００１９】
本実施形態に係るアロマディフューザＸは、図１乃至図７（図３、図４、図５、図６、図７はそれぞれアロマディフューザＸの全体外観図、正面図、背面図、平面図、側面図である）に示すように、アロマタンク１の上部開口部１１を蓋封する位置に設けた弁４と、弁４によって開閉される開口部５ａを有する第１ケース５と、第１ケース５の上方に設けられ且つ吹出口３を有する第２ケース６と、ファン２を所定箇所に保持可能なファンケース７とを備えている。
【００２０】
アロマタンク１は、液体香料を収容する中空直方体状のタンク本体１２と、タンク本体１２の上面中央部から上方に突出する円筒状の上部開口部１１（タンク口）とを一体に有するものである。本実施形態では、透明または半透明の素材でアロマタンク１を構成している。液体香料の種類は適宜選択することができる。
【００２１】
弁４は、円盤状をなし、第１ケース５に保持されている。本実施形態のアロマディフューザＸでは、弁４の回転軸（水平軸４１）を第１ケース５の開口部５ａを幅方向Ｗに跨ぐ姿勢で設け、弁４が水平軸４１周りに回転するように設定している。そして、ファン２の作動停止時には、弁４が自重で第１ケース５の開口部５ａを閉止する閉止姿勢（水平姿勢、図１参照）になり、ファン２の作動時には、ファン２から吹き付けられる風（風圧）によって弁４が水平軸４１周りに回転して第１ケース５の開口部５ａを開放する開放姿勢（所定の傾斜姿勢、図２参照）になるように設定している。第１ケース５の開口部５ａは、アロマタンク１の上部開口部１１に連通するものである。したがって、弁４が閉止姿勢にある場合にアロマタンク１の上部開口部１１は閉止され、弁４が開放姿勢にある場合にアロマタンク１の上部開口部１１は開放される（図１及び図２参照）。本実施形態では、ファン２をアロマタンク１よりも後方側に設け、弁４のうち水平姿勢において水平軸４１よりも前方側の部分４３を水平軸４１よりも後方側の部分４２と比べて分厚くする等して相対的に重い部分に設定するとともに、弁４の回転方向を一方向にのみ規制し且つ弁４の回転角度範囲を規定するリブ（図示省略）を適宜の箇所に設けている。このような構成により、水平姿勢にある弁４は、ファン２の作動停止状態でその水平姿勢を維持し、ファン２の作動時に風圧によって一方向に回転して開放姿勢に切り替わり、さらに、ファン２を作動状態から作動停止状態に切り替えた時点で閉止姿勢に自動復帰する。なお、開放姿勢時における弁４の傾斜角度は、弁４の形状や構造等に応じて適宜変更・選択することが可能である。
【００２２】
第１ケース５は、アロマディフューザＸの分解図である図８に示すように、アロマタンク１の上方に配置され且つ所定領域に開口部５ａを形成した天井部５１と、天井部５１のうち開口部５ａの周囲から下方に突出してアロマタンク１の上部開口部１１に嵌合可能な円筒状のキャップ部５２と、弁４の回転軸（水平軸４１）を回転可能に支持する軸保持部５３と、ファン２から送り出されてアロマタンク１内に向かって吹き付ける風の経路である吹付風路ＸＡ（図１参照）を内部空間に有する吹付風路形成部５４とを一体に備えたものである。本実施形態の第１ケース５において、天井部５１のうち開口部５ａを形成した部分は、他の領域よりも高い段部５ｂに設定され、キャップ部５２の上端部分を段部５ｂの凹みに収まる形態に設定している。
【００２３】
吹付風路形成部５４は、ファンケース７に向かって開口している後方開口部５５と、後方開口部５５からから弁４に到達する位置にまで亘って漸次高さ寸法を小さく設定した窄み部５６とを有し、これら後方開口部５５及び窄み部５６の内部空間を吹付風路ＸＡとして機能させるものである。ファン２の作動開始直後から所定時間（弁４が開放姿勢になるまでの時間）、ファン２から排出された風は吹付風路ＸＡを通って水平姿勢にある弁４のうち水平軸４１よりも後方側の部分４２に当たり、弁４が開放姿勢になった時点以降、ファン２から排出された風は吹付風路ＸＡを通ってアロマタンク１内の液他香料の液面１３に当たる（図２参照）。
【００２４】
本実施形態のアロマディフューザＸは、ＬＥＤを実装した電装基板５７を天井部５１に載置した状態で設け（図８参照）、ＬＥＤ照明による電飾機能を有する。本実施形態では、電装基板５７に音感センサ（図示省略）も実装し、音感センサによる音感検知信号をきっかけにファン２を予め設定した作動時間に応じて作動可能に構成している。本実施形態では、天井部５１の幅方向Ｗ中央部に開口部５ａ及び吹付風路形成部５４を設け、開口部５ａ及び吹付風路形成部５４を幅方向Ｗに挟む位置に電装基板５７を設けている。
【００２５】
第１ケース５は、開口部５ａを囲むように天井部５１よりも上方に突出し、後述する第２ケース６の下方突出仕切り壁部６４と嵌合可能な上方突出仕切り壁部５８を備えている（図８参照）。さらに、本実施形態の第１ケース５は、天井部５１の前縁及び左右両側縁から上方に突出する形態をなし、第２ケース６を下方から支持する支持部５９と、天井部５１の後縁よりも後方及び下方に突出する形態をなし、ファンケース７に嵌合可能な嵌合部５０とを備えている。
【００２６】
第２ケース６は、アロマディフューザＸの屋根として機能する天井部６１に高さ方向に貫通する筒状部６２を一体に備え、筒状部６２の先端（上端）を吹出口３とするものである。天井部６１のうち後端部側の所定領域は、ファンケース７の上端部に載置可能なフラットな水平面に設定し、水平面よりも前方の領域は前方に向かって漸次高さ寸法が小さくなる傾斜面に設定している。本実施形態では、傾斜面の幅方向Ｗ中央部分に円筒状の筒状部６２を設けている。第２ケース６は、第１ケース５の支持部５９に支持された状態において、吹出口３に連通する内部空間であり且つ開放姿勢にある弁４を通じてアロマタンク１内から吹出口３に向かって吹き出す風の経路である吹出風路ＸＢを内部空間に形成する吹出風路形成部６３を備えている。
【００２７】
吹出風路形成部６３は、第２ケース６の天井部６１のうち筒状部６２を囲む所定領域から下方に突出する下方突出仕切り壁部６４を備え、下方突出仕切り壁部６４によって囲まれる内部空間を下方に開放させたフード状のものである。下方突出仕切り壁部６４を第１ケース５の上方突出仕切り壁部５８に嵌合させた状態において、吹出風路ＸＢは、吹付風路ＸＡを含む他の空間から隔離した空間として形成される。
【００２８】
ファンケース７は、図８等に示すように、起立壁部７１と、起立壁部７１の外周縁近傍から前方に突出する枠状の前方突出壁部７２と、ファン２（同図ではファン２の外形を一点鎖線で示す）を縦置きの姿勢で収容可能なファンケース本体７３と、ファンケース本体７３の内部空間に連通する空間であって且つ第１ケース５のうち吹付風路形成部５４の内部空間（吹付風路ＸＡ）に連通する空間を形成する風路接続部７４とを備えている。ファン２の作動時間は図示しないタイマによって管理可能に構成している。ファンケース７には、起立壁部７１のうちファンケース本体７３及び風路接続部７４に干渉しない位置に乾電池Ｂを収容可能な電池ケース７５を設け、電池ケース７５に対応する電池カバー７６を着脱可能に取り付けている。また、枠状の前方突出壁部７２のうち上枠部に電源スイッチ７７を設けている。ファンケース７は、起立壁部７１のうちファンケース本体７３に収容されているファン２が対面する位置に吸入口７８を形成している（図１、図８参照）。吸入口７８は、起立壁部７１の厚み方向（前後方向）に貫通した孔であり、ファン２が作動した際に、起立壁部７１よりも後方の周辺雰囲気（外気）をファン２に供給する通気口として機能する。
【００２９】
本実施形態のアロマディフューザＸは、第１ケース５、第２ケース６、及びファンケース７を図９に示すように一体的に組み付け、アロマタンク１を第１ケース５のキャップ部５２によって保持した状態で取り扱うことができる。したがって、アロマタンク１内の液体香料の補充や、アロマタンク１の交換、あるいは乾電池Ｂの交換を簡単に行うことができる。以下では、第１ケース５、第２ケース６、ファンケース７を一体的に組み付けた形態を「アロマディフューザ本体Ｘ１」とする。
【００３０】
本実施形態のアロマディフューザＸは、アロマディフューザ本体Ｘ１を内部空間に収容可能な化粧カバー８を備えている。化粧カバー８は、上方に開口した箱状をなし、前面及び両側面に化粧窓８１を有するものであり、後面に留め具Ｐを取付可能に構成されている。化粧カバー８のうち化粧窓８１の形成箇所には、化粧窓８１を化粧カバー８の内側から覆う窓カバー８２を設けている（図８参照）。留め具Ｐは、頭部Ｐ１と、頭部Ｐ１から後方に向かって延伸する１本または複数本（図示例では３本）のピンＰ２とを備えたものであり、化粧カバー８の後面に、留め具Ｐの頭部Ｐ１が挿通可能な孔（挿通孔）と、留め具Ｐの頭部Ｐ１が挿通不能な孔（小孔）とが連続する留め具装着孔８３を形成している（図２等参照）。本実施形態では、化粧カバー８の後面のうち幅方向Ｗに所定寸法離れた所定の２箇所に留め具装着孔８３を形成している。化粧カバー８の後面のうちアロマタンク１に対面する所定領域には、アロマタンク１内の液量を視認するための覗き窓８４を形成している（図５参照）。また、化粧カバー８の底面には、アロマタンク１のセッティング位置を規定する位置決め部８５を設けている（図８参照）。
【００３１】
本実施形態のアロマディフューザＸは、アロマディフューザ本体Ｘ１を化粧カバー８の内部空間にセッティングした状態で、アロマディフューザ本体Ｘ１の上向き面（第２風路カバーの上向き面）よりも高い位置に留め具装着孔８３を形成し、アロマディフューザ本体Ｘ１の後面であるファンケース７の後面と、化粧カバー８との間に、留め具Ｐの頭部Ｐ１の寸法に応じた所定の隙間Ｓが形成されるように設定している（図１、図６参照）。
【００３２】
次に、本実施形態のアロマディフューザＸの使用方法及び作用効果について説明する。
【００３３】
アロマタンク１を装着したアロマディフューザ本体Ｘ１が化粧カバー８にセッティングされた状態にあるアロマディフューザＸは、トイレや玄関等、適宜の場所に載置したり、留め具Ｐによって壁等に固定した状態で使用することができる。また、本実施形態のアロマディフューザＸは、図１０に示すように、先端が吹出口３である筒状部６２にアーティフィシャルフラワーＦ（造花）を挿した状態で使用することで、装飾性の高いインテリアになる。
【００３４】
本実施形態に係るアロマディフューザＸは、電源スイッチ７７をＯＮにしておくと、足音やドアの開閉等の人の動きにより発せられた音により、電装基板５７上に実装した音感センサにより感知すると、その検知信号をきっかけにファン２を予め設定した作動時間に応じて作動する。ファン２が作動すると、本実施形態に係るアロマディフューザＸは、図２に示すように、アロマディフューザ本体Ｘ１の後面であるファンケース７の後面と化粧カバー８との間に形成されているスペースＳに向かって開口しているファンケース７の吸入口７８からファンケース本体７３内に空気を吸い込み、ファン２によって風路接続部７４の内部空間に送り入れる。風路接続部７４の内部空間は、ファンケース７の内部空間に連通しているとともに、第１ケース５のうち吹付風路形成部５４の内部空間（吹付風路ＸＡ）にも連通しているため、ファン２によって風路接続部７４の内部空間に送り入れた空気は、吹付風路ＸＡを通って弁４に到達して閉止姿勢にある弁４を押す。この風圧によって、閉止姿勢にある弁４は水平軸４１周りに回転してから開放姿勢に切り替わり、ファン２が作動して所定量の風がファン２から供給され続ける間、弁４は開放姿勢に維持される。
【００３５】
そして、本実施形態に掛かるアロマディフューザＸは、開放姿勢の弁４によって開放されている第１ケース５の開口部５ａのうち、水平軸４１よりも後方側の部分を通じてファン２から送り入れた風をアロマタンク１内の液体香料の液面１３に直接吹き付けることにより、液体香料の蒸発を促進する。液面１３に向かって風を吹き付け続けると、やがて行き場を失った風が、開放姿勢の弁４によって開放されている開口部５ａのうち水平軸４１よりも前方側の部分、すなわち吹付風路ＸＡに連続していない部分を通じて上方向に押し出される。開口部５ａよりも上方に押し出された風は、吹出風路ＸＢを経由して吹出口３からアロマディフューザ本体Ｘ１の外部に放出される。このような仕組みにより、本実施形態に係るアロマディフューザＸは、周囲に液体香料の気化成分を放出して拡散することができる。本実施形態では、タイマの設定によって音感センサによる音感感知信号発信時点から３０秒から１分間、ファン２が作動し続けるように設定している。なお、ファン２の作動継続時間はユーザにおいて適宜設定可能に構成することができる仕様であってもよい。
【００３６】
本実施形態に係るアロマディフューザＸでは、ファン２が作動を停止し、所定量の風がファン２から供給されなくなった時点で、弁４が自重によって開放姿勢から閉止姿勢に切り替わり、それ以降、アロマタンク１内の液体香料の気体は飽和に達し、それ以上の蒸発が進まず、液体香料の無駄な消費を防止・抑制することができる。また、本実施形態に係るアロマディフューザＸは、音感センサによる音感感知信号が発信されない間も弁４が閉止姿勢に維持され、液体香料の消費を抑えることができる。
【００３７】
このように、本実施形態に係るアロマディフューザＸは、ファン２からアロマタンク１内に向かって吹き付ける風によって液体香料を強制気化させて、その気化した成分を吹出口３から外部に送り出す構成であるため、自然気化方式のアロマディフューザと比較して、香りの拡散力が強く、拡散スピードも早い。特に、本実施形態に係るアロマディフューザＸは、吸上芯が不要であるため、吸上芯を用いたアロマディフューザであれば生じる不具合、すなわち、吸上芯が液体香料に浸り続けて湿った状態が続くことで吸上力が弱まり、拡散能力が低下するという不具合が生じない。
【００３８】
さらに、本実施形態に係るアロマディフューザＸによれば、自然気化方式のアロマディフューザよりも優れた香り拡散能力を発揮する上に、超音波振動子が不要であるため、超音波振動子を用いたアロマディフューザと比較して製品の低コスト化を図ることが可能である。また、ファン２を用いた強制気化方式を採用した本実施形態に係るアロマディフューザＸでは、超音波振動子を用いたアロマディフューザであれば生じる不具合、つまり、超音波振動子が無負荷状態で空運転を行なうとその振動作用により破損するという不具合も生じない。
【００３９】
本実施形態に係るアロマディフューザＸは、音感センサを備え、音感センサによる音感検知信号をきっかけにファン２を予め設定した作動時間に応じて作動可能に構成しているため、ファン２を２４時間作動し続ける構成と比較して省電力化を図ることができる。
【００４０】
特に、本実施形態のアロマディフューザＸでは、アロマタンク１の上部開口部１１を蓋封する位置に弁４を設け、ファン２の作動時にファン２からの風圧によって弁４が水平軸４１周りに回転して上部開口部１１を開放する開放姿勢になり、ファン２の作動停止時に弁４が自重で上部開口部１１を閉止する閉止姿勢に自動復帰するように構成しているため、ファン２の作動停止時に弁４がアロマタンク１の上部開口部１１を蓋封することによって、アロマタンク１内の液体香料の気体成分は飽和に達し、それ以上の蒸発が進行せず、液体香料の消費量を抑えることができる。一方、ファン２の作動時には弁４が開放姿勢になることで、ファン２によるアロマタンク１内の液体香料の蒸発を促進し、アロマタンク１内の気体成分を上部開口部１１及び吹出口３を通じて外部に放出して拡散することが可能である。特に、本実施形態のアロマディフューザＸでは、ファン２の作動停止時に弁４が自重で閉止姿勢に自動復帰するように構成することで、弁４を閉止姿勢と開放姿勢の間で切り替える専用の機構が不要であり、専用の切替機構を備えた構成と比較して、構造の簡素化及び低コスト化を図ることができる。
【００４１】
さらに、本実施形態に係るアロマディフューザＸは、吹出口３にアーティフィシャルフラワーＦを挿すことができ、装飾性の高いインテリアとして機能する。
【００４２】
加えて、本実施形態に係るアロマディフューザＸによれば、ファン２から送り出されてアロマタンク１に向かって吹き付ける風の経路である吹付風路ＸＡと、アロマタンク１内から吹出口３に向かって吹き出す風の経路である吹出風路ＸＢとを備え、これら吹付風路ＸＡと吹出風路ＸＢを相互に隔離した空間に設定しているため、アロマタンク１内の液体香料の液面１３に風を効率良く吹き付けることができるとともに、液面１３から蒸発した気化成分を吹出風路ＸＢを通じて吹出口３から効率良く吹き出してアロマディフューザＸの周囲に拡散することが可能である。
【００４３】
なお、本発明は上述した実施形態に限定されるものではない。例えば、ファンから送り出されてアロマタンクに向かって吹き付ける風の経路である専用の吹付風路を備えず、ファンからの風を液体香料の液面に直接吹き付ける構成であってもよい。
【００４４】
上述の実施形態では、アーティフィシャルフラワーを添えた態様を例示したが、アーティフィシャルフラワーに代えて、シルクフラワー、その他の人工的な花や葉、つまり「造花」を添えたアロマディフューザにしたり、ドライフラワー、プリザーブドフラワー等、生花や葉から加工された「加工花」を添えたアロマディフューザにすることも可能である。一方で、ユーザの好み等に応じて造花や加工花を添えていないアロマディフューザにすることも可能である。
【００４５】
また、音感センサに代えて人感センサを適用し、人感センサによる人感検知信号をきっかけにファンを予め設定した作動時間に応じて作動可能に構成することもできる。音感センサや人感センサを備えず、ファンを２４時間作動し続ける構成にすることも可能である。
【００４６】
本発明に係るアロマディフューザでは、吸入口と吹出口の位置は適宜変更することができる。なお、本発明では、吸入口と吹出口が近過ぎることに起因して吹出口から吹き出した風を吸入口から吸い込むいわゆるショートサーキット現象が生じない構成にすることが肝要である。また、化粧カバーのうち、ファンケースの吸入口に対して前後方向に向かい合う部分を開口部（開口孔）に設定することで、化粧カバーの後方空間に存在する空気を化粧カバーの開口部（開口孔）を通じてファンケースの吸入口から効率良く吸入することができる。
【００４７】
壁等に固定するために留め具は、ピンタイプのものに限らず、適宜のものを用いることができる。また留め具を備えず、フック等の引っ掛け部を備えたアロマディフューザであってもよい。
【００４８】
化粧カバーを備えていないアロマディフューザや、照明機能を有しないアロマディフューザであっても構わない。
【００４９】
また、本発明では、弁を備えず、ファンからの送風によりアロマタンクのタンク口を蓋封している封止体（キャップ）を押し下げることで、アロマタンク内に向かって風を送り込む構成にすることもできる。この場合、ファンの作動停止時には封止体（キャップ）が元の位置に復帰することでアロマタンク内の密閉状態を維持できるように構成すればよい。
【００５０】
その他、各部の具体的構成についても上記実施形態に限られるものではなく、本発明の趣旨を逸脱しない範囲で種々変形が可能である。
【符号の説明】
【００５１】
１…アロマタンク
２…ファン
３…吹出口
４…弁
Ｆ…アーティフィシャルフラワー（造花）
Ｘ…アロマディフューザ
【図１】
2019130030.tif 000003
【図２】
2019130030.tif 000004
【図３】
2019130030.tif 000005
【図４】
2019130030.tif 000006
【図５】
2019130030.tif 000007
【図６】
2019130030.tif 000008
【図７】
2019130030.tif 000009
【図８】
2019130030.tif 000010
【図９】
2019130030.tif 000011
【図１０】
2019130030.tif 000012